(57)【要約】【課題】照明用光源からの光及び熱による、機能付加装置の寿命の低下を抑制する。【解決手段】照明器具３００に取り付けられる照明用光源１００であって、発光部と、発光部の発光を制御するための制御信号を照明用光源に送信する機能付加装置２００とを備え、機能付加装置２００は、機能付加装置２００を発光部から照射される光の照射領域４５０以外の領域に配置するために、照明器具３００又は照明器具３００が設置される構造物５００に取り付けられる取り付け部２４０を有する。【選択図】図４
2014220161.tif 000002
【特許請求の範囲】
【請求項１】
照明器具に取り付けられる照明用光源であって、
発光部と、
前記発光部の発光を制御するための制御信号を前記照明用光源に送信する機能付加装置とを備え、
前記機能付加装置は、前記機能付加装置を前記発光部から照射される光の照射領域以外の領域に配置するために、前記照明器具又は前記照明器具が設置される構造物に取り付けられる取り付け部を有する
照明用光源。
【請求項２】
前記照明器具又は前記照明器具が設置される構造物には、前記取り付け部に対応する形状の保持部が設けられ、
前記機能付加装置は、前記取り付け部が前記保持部と係合、嵌合、または噛合することにより、前記照射領域以外の領域に配置される
請求項１に記載の照明用光源。
【請求項３】
前記照明器具は、少なくとも一部が前記構造物にはめ込まれており、
前記取り付け部は、前記照明器具と前記構造物との間に挿入され、前記照明器具又は前記構造物によって保持される
請求項１に記載の照明用光源。
【請求項４】
前記機能付加装置は、検出対象を検出するセンサ装置である
請求項１〜３のいずれか１項に記載の照明用光源。
【請求項５】
さらに、前記制御信号の送信に用いられ、前記機能付加装置が取り付けられる位置を変更するためのケーブルを備える
請求項１〜４のいずれか１項に記載の照明用光源。
【請求項６】
前記ケーブルは、所定の剛性を有することによって変形した状態が維持される材料で形成される
請求項５に記載の照明用光源。
【請求項７】
発光部を有する照明用光源に機能を付加する機能付加装置であって、
前記機能に応じて前記発光部の発光を制御するための制御信号を前記照明用光源に送信する機能付加部と、
前記制御信号を前記照明用光源に送信するために、前記照明用光源に着脱可能に接続される第二接続部と、
前記機能付加装置を前記発光部から照射される光の照射領域以外の領域に配置するために、前記照明器具又は前記照明器具に取り付けられる取り付け部とを備える
機能付加装置。
【請求項８】
前記照明器具は、少なくとも一部が前記構造物にはめ込まれており、
前記取り付け部は、前記照明器具と前記構造物との間に挿入され、前記照明器具又は前記構造物に設けられた保持部によって保持される
請求項７に記載の機能付加装置。
【請求項９】
前記機能付加部は、照度、赤外線、音、振動、ユーザのモーション、温度、及び時間のうちの少なくとも１つを検出し、検出結果に応じて前記制御信号を前記照明用光源に送信する
請求項７又は８に記載の機能付加装置。
【請求項１０】
機能付加装置が送信する制御信号に応じて発光する照明装置であって、
照明器具と、
前記照明器具に取り付けられる照明用光源とを備え、
前記照明用光源は、機能付加装置が送信する制御信号に応じて発光する発光部を備え、
前記照明器具は、前記発光部から照射される光の照射領域以外の領域に前記機能付加装置を保持する保持部を備える
照明装置。
【請求項１１】
前記照明器具は、少なくとも一部が構造物にはめ込まれており、
前記保持部は、前記照明器具の外側の面に設けられ、前記照明器具と前記構造物との間に挿入される、前記機能付加装置が有する取り付け部を保持する
請求項１０に記載の照明装置。
【請求項１２】
前記照明用光源は、さらに、前記制御信号を受信するために前記機能付加装置が着脱自在に接続される第一接続部を備える
請求項１０又は１１に記載の照明装置。
【請求項１３】
前記第一接続部には、ケーブルを介して前記機能付加装置が着脱可能に接続され、
前記照明器具は、前記ケーブルを保持するケーブル保持部を備える
請求項１２に記載の照明装置。
【請求項１４】
前記照明用光源は、さらに、前記機能付加装置を備える
請求項１０〜１３のいずれか１項に記載の照明装置。
【発明の詳細な説明】
【技術分野】
【０００１】
本発明は、照明用光源に関し、特に、機能の拡張が可能な照明用光源に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、小型、高効率及び長寿命であることから、様々な製品の光源として期待されている。その中でも、近年、ＬＥＤを用いた照明用光源の研究開発が進められている。上記のような照明用光源は、照明器具に取り付けられ、照明装置として動作する。
【０００３】
一方、従来、人感センサを備える電球形ＬＥＤランプが開示されている（例えば、特許文献１参照）。
【０００４】
このような人感センサを内蔵した電球形ＬＥＤランプを用いれば、従来の照明装置を人感センサに応じて点灯する照明装置として使用することが可能である。
【先行技術文献】
【特許文献】
【０００５】
【特許文献１】特開２０１１−２２８１５１号公報
【発明の概要】
【発明が解決しようとする課題】
【０００６】
ところで、人感センサのようなセンサを備える照明装置では、センサを照明用光源の近傍に配置すると、照明用光源からの光や熱によってセンサの寿命の短縮が生じる。また、センサが、照明用光源からの光及び熱によって誤動作（誤検出）する場合もある。
【０００７】
本発明は、照明用光源からの光及び熱による、センサ（機能付加装置）の寿命の低下を抑制することができる照明用光源等を提供することを目的とする。
【課題を解決するための手段】
【０００８】
上記目的を達成するために、本発明の一態様に係る照明用光源は、照明器具に取り付けられる照明用光源であって、発光部と、前記発光部の発光を制御するための制御信号を前記照明用光源に送信する機能付加装置とを備え、前記機能付加装置は、前記機能付加装置を前記発光部から照射される光の照射領域以外の領域に配置するために、前記照明器具又は前記照明器具が設置される構造物に取り付けられる取り付け部を有する。
【０００９】
また、前記照明器具又は前記照明器具が設置される構造物には、前記取り付け部に対応する形状の保持部が設けられ、前記機能付加装置は、前記取り付け部が前記保持部と係合、嵌合、または噛合することにより、前記照射領域以外の領域に配置されてもよい。
【００１０】
また、前記照明器具は、少なくとも一部が前記構造物にはめ込まれており、前記取り付け部は、前記照明器具と前記構造物との間に挿入され、前記照明器具又は前記構造物によって保持されてもよい。
【００１１】
また、前記機能付加装置は、検出対象を検出するセンサ装置であってもよい。
【００１２】
また、さらに、前記制御信号の送信に用いられ、前記機能付加装置が取り付けられる位置を変更するためのケーブルを備えてもよい。
【００１３】
また、前記ケーブルは、所定の剛性を有することによって変形した状態が維持される材料で形成されてもよい。
【００１４】
また、本発明の一態様に係る機能付加装置は、発光部を有する照明用光源に機能を付加する機能付加装置であって、前記機能に応じて前記発光部の発光を制御するための制御信号を前記照明用光源に送信する機能付加部と、前記制御信号を前記照明用光源に送信するために、前記照明用光源に着脱可能に接続される第二接続部と、前記機能付加装置を前記発光部から照射される光の照射領域以外の領域に配置するために、前記照明器具又は前記照明器具に取り付けられる取り付け部とを備える。
【００１５】
また、前記照明器具は、少なくとも一部が前記構造物にはめ込まれており、前記取り付け部は、前記照明器具と前記構造物との間に挿入され、前記照明器具又は前記構造物に設けられた保持部によって保持されてもよい。
【００１６】
また、前記機能付加部は、照度、赤外線、音、振動、モーション、温度、及び時間のうちの少なくとも１つを検出し、検出結果に応じて前記制御信号を前記照明用光源に送信してもよい。
【００１７】
また、本発明の一態様に係る照明装置は、機能付加装置が送信する制御信号に応じて発光する照明装置であって、照明器具と、前記照明器具に取り付けられる照明用光源とを備え、前記照明用光源は、機能付加装置が送信する制御信号に応じて発光する発光部を備え、前記照明器具は、前記発光部から照射される光の照射領域以外の領域に前記機能付加装置を保持する保持部を備える。
【００１８】
また、前記照明器具は、少なくとも一部が構造物にはめ込まれており、前記保持部は、前記照明器具の外側の面に設けられ、前記照明器具と前記構造物との間に挿入される、前記機能付加装置が有する取り付け部を保持してもよい。
【００１９】
また、前記照明用光源は、さらに、前記制御信号を受信するために前記機能付加装置が着脱自在に接続される第一接続部を備えてもよい。
【００２０】
また、前記第一接続部には、ケーブルを介して前記機能付加装置が着脱可能に接続され、前記照明器具は、前記ケーブルを保持するケーブル保持部を備えてもよい。
【００２１】
また、前記照明用光源は、さらに、前記機能付加装置を備えてもよい。
【発明の効果】
【００２２】
本発明によれば、照明用光源からの光及び熱による、機能付加装置の寿命の低下を抑制することができる。
【図面の簡単な説明】
【００２３】
【図１Ａ】実施の形態１に係るＬＥＤユニットを光照射側から見たときの斜視図である。
【図１Ｂ】機能付加装置が接続されたＬＥＤユニットを光照射側から見たときの斜視図である。
【図２】実施の形態１に係るＬＥＤユニットの側面図及び断面図である。
【図３】実施の形態１に係るＬＥＤユニット及び機能付加装置の機能ブロック図である。
【図４】実施の形態１に係るＬＥＤユニットを備える照明装置の断面図である。
【図５】照明器具に設けられた保持部によって機能付加装置が保持される照明装置の断面図である。
【図６】照明器具の開口の底面に設けられた保持部によって機能付加装置が保持される照明装置の断面図である。
【図７】保持部及び取り付け部の別の例を示す図である。
【図８】照明器具と構造物との間に挿入される取り付け部を備える機能付加装置の例を示す図である。
【図９】図８に示される機能付加装置と、照明装置との接続例を示す図である。
【図１０】機能付加装置一体型のＬＥＤユニットを備える照明装置の断面図である。
【図１１】所定の剛性のケーブルを有するＬＥＤユニットを備える照明装置の断面図である。
【発明を実施するための形態】
【００２４】
以下、本発明の実施の形態に係る照明用光源、及び機能付加装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２５】
以下の実施の形態では、照明用光源の一例である、ダウンライトやスポットライト等のＬＥＤ照明装置に用いられるＬＥＤユニット（ＬＥＤランプ）、及びこれに外付けされる機能付加装置（外部装置）について説明する。なお、各図は模式図であり、必ずしも厳密に図示されたものではない。また、各図において、実質的に同一の構成に対しては同一の符号を付しており、重複する説明は省略又は簡略化する。
【００２６】
（実施の形態１）
図１Ａは、実施の形態１に係るＬＥＤユニットを光照射側から見たときの斜視図であり、図１Ｂは、機能付加装置が接続されたＬＥＤユニットを光照射側から見たときの斜視図である。
【００２７】
図１Ａ及び図１Ｂに示すように、実施の形態１に係るＬＥＤユニット１００は、全体形状が円盤状又は扁平状であるフラット薄形構造のＬＥＤユニット１００であって、透光性カバー１１０と筐体１２０と支持台１３０とによって本体部が構成されている。ＬＥＤユニット１００の口金構造としては、例えば、ＧＸ５３口金又はＧＨ７６ｐ口金が採用されている。
【００２８】
ＬＥＤユニット１００は、所定の回転方向に回転させることによって照明器具に取り付けられる。例えば、図１Ａに示すように、ランプ軸Ｊを中心にＬＥＤユニット１００を回転方向Ｒに回転させることで、ＬＥＤユニット１００を照明器具に取り付けることができる。また、ランプ軸Ｊを中心に回転方向Ｒと反対の方向にＬＥＤユニット１００を回転させることで、ＬＥＤユニット１００を照明器具から取り外すことができる。
【００２９】
なお、実施の形態１において、光照射側とは、光が出射する側であって、ＬＥＤユニット１００を基準にして、ＬＥＤユニット１００から光が取り出される側（光照射側）である。図１Ａ及び図１Ｂでは、光照射側が上側となるように図示されている。
【００３０】
図１Ａに示されるように、ＬＥＤユニット１００は、筐体１２０の側面に、第一接続部１９０を備える。図１Ｂに示されるように、第一接続部１９０には、機能付加装置２００の第二接続部２１０が接続される。すなわち、ＬＥＤユニット１００には、機能付加装置２００が接続される。
【００３１】
機能付加装置２００は、ＬＥＤユニット１００に接続されることによってＬＥＤユニット１００に機能を付加する装置である。機能付加装置２００は、実施の形態１では、センサ部２５０（機能付加部）によって赤外線を検知し、ＬＥＤユニット１００の点灯及び消灯を制御するための制御信号をＬＥＤユニット１００に送信する。
【００３２】
機能付加装置２００は、ＬＥＤユニット１００が取り付けられる照明器具、又は当該照明器具が設けられる構造物の面に取り付けられる。機能付加装置２００の取り付けには、機能付加装置２００が有する取り付け部２４０が用いられる。取り付け部２４０は、機能付加装置２００の筐体２２０に設けられた爪状の突起である。
【００３３】
ＬＥＤユニット１００は、機能付加装置２００が接続されていないときは、通常通り、壁等に設けられたスイッチのＯＮ・ＯＦＦに応じて点灯及び消灯する動作を行う。
【００３４】
ＬＥＤユニット１００は、ユーザによって機能付加装置２００が接続されたときは、赤外線を検知するいわゆる人感センサ付のＬＥＤユニットとして、赤外線の検知後、一定時間点灯した後、自動的に消灯する動作を行う。つまり、機能付加装置２００によって、ＬＥＤユニット１００には、赤外線検知機能が付加される。
【００３５】
次に、実施の形態１に係るＬＥＤユニット１００の詳細構成について、図２を用いて説明する。図２は、実施の形態１に係るＬＥＤユニット１００の側面図及び断面図である。図２の（ａ）は、ＬＥＤユニット１００の側面図、図２の（ｂ）は、ＬＥＤユニット１００の断面図である。なお、図２は、光照射側を下側とした場合の図であり、機能付加装置２００が接続された状態におけるＬＥＤユニット１００の断面図である。
【００３６】
図２に示されるように、実施の形態１に係るＬＥＤユニット１００は、透光性カバー１１０と、筐体１２０と、支持台１３０と、ＬＥＤモジュール１４０と、反射板１５０と、回路基板１６０（駆動回路）と、熱伝導シート１７０と、接続ピン１８０と、第一接続部１９０とを備える。
【００３７】
透光性カバー１１０は、ＬＥＤモジュール１４０から放出される光をランプ外部に取り出すために透光性材料によって構成されており、例えば、アクリル（ＰＭＭＡ）やポリカーボネート（ＰＣ）等の樹脂材料を用いて構成されている。透光性カバー１１０は、光拡散性の無い透明構造としてもよいし、光拡散性を持たせた拡散構造としてもよい。例えば、透光性カバー１１０の内面にシリカや炭酸カルシウム等の光拡散材を含有する樹脂や白色顔料等を塗布することによって乳白色の光拡散膜を形成したり、透光性カバー１１０に微小凹凸を形成したりすることによって、光拡散機能を有する透光性カバー１１０を構成することができる。
【００３８】
また、透光性カバー１１０は、筐体１２０の内部に配置されたＬＥＤモジュール１４０や回路基板１６０を保護するために、第１開口部１２０ａを塞ぐようにして筐体１２０に固定されている。
【００３９】
筐体１２０は、ＬＥＤモジュール１４０及び回路基板１６０を収納する平盤状の円筒部材であり、図２の（ｂ）に示すように、光照射側に形成された第１開口部１２０ａと、光照射側とは反対側に形成された第２開口部１２０ｂとを有する。第１開口部１２０ａには、透光性カバー１１０が取り付けられている。
【００４０】
また、筐体１２０は、例えば、３本のネジによって支持台１３０に固定される。筐体１２０は、例えば、ＰＢＴ（ポリブチレンテレフタレート）等の絶縁性樹脂材料によって構成される。なお、筐体１２０は、樹脂製ではなく、金属製であってもよい。
【００４１】
支持台１３０は、回路基板１６０及び筐体１２０を支持する支持部材である。また、支持台１３０は、ＬＥＤモジュール１４０で発生する熱を放熱するヒートシンクとしても機能する。したがって、支持台１３０は、アルミニウム等の金属材料又は熱伝導率の高い樹脂材料によって構成するとよい。図２の（ｂ）に示すように、支持台１３０は、筐体１２０の第２開口部１２０ｂを塞ぐように配置される。なお、以下の実施の形態１では、支持台１３０は、筐体１２０の一部として説明される。
【００４２】
また、支持台１３０は、熱伝導シート１７０を介して照明器具に接続される。支持台１３０は、筐体１２０及び接続ピン１８０とともに照明器具に接続される所定の口金として機能する。ＬＥＤユニット１００は、照明器具のソケットに適合する規格化された口金構造を有している。このような口金構造としては、上述のとおり、例えばＧＸ５３口金又はＧＨ７６ｐ口金がある。
【００４３】
なお、上記、透光性カバー１１０、筐体１２０、及び支持台１３０は、本体部に相当する。つまり、本体部は、発光部１４２からの光を取り出す発光面（透光性カバー１１０を含む、光照射側の面）と、発光面の周囲に設けられた側面と、発光面と反対側の面である設置面（支持台１３０を含む、照明器具に取り付けられる側の面）とを有し、後述する制御部、及び発光部１４２を収納する。
【００４４】
ＬＥＤモジュール１４０は、ＬＥＤユニット１００における光源であり、白色等の所定の色（波長）の光を放出する。ＬＥＤモジュール１４０（基板１４１）は、支持台１３０に載置されて支持台１３０に固定される。例えば、基板１４１と支持台１３０との間に接着剤を塗布することによってＬＥＤモジュール１４０と支持台１３０とを固着することができる。
【００４５】
ＬＥＤモジュール１４０は、回路基板１６０から供給される電力によって発光する。ＬＥＤモジュール１４０から放出された光は、透光性カバー１１０を透過してランプ外部に出射する。
【００４６】
図２の（ｂ）に示すように、ＬＥＤモジュール１４０は、例えば、基板１４１と発光部１４２とによって構成することができる。
【００４７】
ＬＥＤモジュール１４０は、ベアチップ（ＬＥＤ、発光素子）が基板１４１上に直接実装された、いわゆるＣＯＢ（Ｃｈｉｐ  Ｏｎ  Ｂｏａｒｄ）構造である。
【００４８】
発光部１４２は、複数のＬＥＤと、複数のＬＥＤを封止する封止部材とからなる。ＬＥＤは、発光素子の一例であって、所定の電力により発光する半導体発光素子である。実施の形態１におけるＬＥＤは、単色の可視光を発するベアチップであり、例えば、通電されれば青色光を発する青色発光ＬＥＤチップを用いることができる。ＬＥＤは、例えば、基板１４１の主面上において、複数列に又はマトリクス状に複数個実装される。
【００４９】
封止部材は、例えば樹脂からなり、複数のＬＥＤを一括封止するように形成される。この場合、ＬＥＤの素子列毎に一括封止するように直線状に封止部材を形成してもよいし、あるいは、基板１４１上の全てのＬＥＤを一括封止するように平面視形状が円形状又は矩形状に形成してもよい。
【００５０】
封止部材は、主として透光性材料からなるが、ＬＥＤの光の波長を所定の波長に変換する必要がある場合には、透光性材料に波長変換材が混入される。実施の形態１における封止部材は、波長変換材として蛍光体を含み、ＬＥＤが発する光の波長（色）を変換する波長変換部材である。このような封止部材としては、例えば、蛍光体として蛍光体粒子を含有する絶縁性の樹脂材料（蛍光体含有樹脂）によって構成することができる。蛍光体粒子は、ＬＥＤが発する光によって励起されて所望の色（波長）の光を放出する。
【００５１】
封止部材を構成する透光性樹脂材料としては、例えば、シリコーン樹脂を用いることができる。また、封止部材に含有させる蛍光体粒子としては、例えば、ＬＥＤが青色光を発光する青色発光ＬＥＤである場合、白色光を得るために、例えばＹＡＧ系の黄色蛍光体粒子を用いることができる。これにより、ＬＥＤが発した青色光の一部は、封止部材に含まれる黄色蛍光体粒子によって黄色光に波長変換される。そして、黄色蛍光体粒子に吸収されなかった青色光と黄色蛍光体粒子によって波長変換された黄色光とが混ざって封止部材から白色光となって出射される。
【００５２】
基板１４１としては、セラミックス基板、樹脂基板又はメタルベース基板を用いることができる。基板１４１の形状は、平面視形状が矩形状のものを用いることができるが、六角形や八角形等の多角形状又は円形状のものも用いてもよい。
【００５３】
透光性カバー１１０とＬＥＤモジュール１４０との間には、反射板１５０（反射鏡）が配置されている。反射板１５０は、反射機能を有する反射部材であって、ＬＥＤモジュール１４０の光が入射する開口である入射口と、入射口から入射した光が反射板１５０から出射する開口である出射口とを有する。実施の形態１における反射板１５０は、内径が入射口から出射口に向かって漸次大きくなるように構成された円錐台筒状である。具体的には、反射板１５０は、ラッパ状（漏斗状）である。
【００５４】
入射口は、ＬＥＤモジュール１４０の発光領域（発光部１４２）を囲むように構成されている。また、出射口の開口面積は、透光性カバー１１０の平面部の面積とほぼ同じである。
【００５５】
また、反射板１５０の内面は、ＬＥＤモジュール１４０からの光を反射する反射面となっている。反射面は、入射口から入射した光を反射させて出射口から出射するように構成されている。反射板１５０によってＬＥＤモジュール１４０の光は透光性カバー１１０に導かれる。
【００５６】
反射板１５０は、例えば、絶縁性を有する硬質の白色樹脂材料によって構成することができる。なお、反射率を向上させるために、樹脂製の反射板１５０の内面に、銀やアルミニウム等の金属材料からなる金属蒸着膜（金属反射膜）をコーティングすることによって反射面を構成しても構わない。また、樹脂材料を用いずに、反射板１５０全体をアルミニウム等の金属材料を用いて成形してもよい。
【００５７】
回路基板１６０は、金属配線がパターン形成されたプリント基板である。図２の（ｂ）に示すように、実施の形態１における回路基板１６０は、円形状の開口が形成された円環状（ドーナツ形状）の基板であり、筐体１２０の内方かつ反射板１５０の外方に配置されている。回路基板１６０は、例えば、回路基板１６０と筐体１２０とがねじ止めされることで筐体１２０に保持される。
【００５８】
回路基板１６０の光照射側の主面には、ＬＥＤモジュール１４０（発光部１４２）を発光させるための駆動回路（図示せず）が設けられる。例えば、駆動回路は、接続ピン１８０から供給される交流電力（例えばＡＣ１００Ｖの商用電源からの電力）を直流電力に変換し、当該直流電力をＬＥＤモジュール１４０に供給する。なお、駆動回路（回路基板１６０）に供給される電力は、交流電力ではなく、直流電力であってもよい。
【００５９】
駆動回路を構成する回路素子（図示せず）としては、例えば、電解コンデンサやセラミックコンデンサ等の容量素子、抵抗素子、コイル素子、チョークコイル（チョークトランス）、ノイズフィルタ、ダイオード又は集積回路素子等の半導体素子等である。回路素子の多くは、回路基板１６０の光照射側の主面に実装されている。
【００６０】
回路基板１６０の光照射側の主面には、第一接続部１９０が設けられる。第一接続部１９０は、機能付加装置２００から制御信号を受信するために機能付加装置２００が着脱自在に接続されるコネクタである。ここで、着脱自在とは、ＬＥＤユニット１００の出荷後に、ユーザによって事後的に機能付加装置２００が取り付け可能なことを意味する。
【００６１】
第一接続部１９０は、ＵＳＢ（Ｕｎｉｖｅｒｓａｌ  Ｓｅｒｉａｌ  Ｂｕｓ）準拠のコネクタ、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）準拠のコネクタ、Ｓ−ＡＴＡ（Ｓｅｒｉａｌ  Ａｄｖａｎｃｅｄ  Ｔｅｃｈｎｏｌｏｇｙ  Ａｔｔａｃｈｍｅｎｔ）準拠のコネクタなど標準化されたコネクタであってもよいし、専用のコネクタであってもよい。すなわち、第一接続部１９０は、機能付加装置２００の第二接続部２１０と着脱自在に接続され、機能付加装置２００からＬＥＤユニット１００に制御信号の送信ができるのであれば、どのような形状であってもよい。
【００６２】
熱伝導シート１７０は、支持台１３０を介して伝達されるＬＥＤモジュール１４０からの熱を照明器具側に逃がすためのシートである。具体的には、熱伝導シート１７０は、熱伝導率の高い樹脂製シートであり、例えばシリコンシート又はアクリルシートを用いることができる。
【００６３】
接続ピン１８０（第三接続部、口金ピン）は、導電ピンであり、ＬＥＤモジュール１４０を発光させるための電力をランプ外部から受電する機能を有する。つまり、接続ピン１８０は、電源供給用の電気接続ピンである。
【００６４】
例えば、一対の接続ピン１８０によって、照明器具から所定の交流電力を受電する。各接続ピン１８０と回路基板１６０とはリード線（図示せず）によって接続されており、一対の接続ピン１８０で受電した交流電圧は、リード線を介して回路基板１６０（駆動回路）に供給される。なお、一対の接続ピン１８０は交流電圧を受電するが、異なる２つの直流電圧を受電するように構成してもよい。
【００６５】
また、接続ピン１８０は、ＬＥＤユニット１００を照明器具に取り付けるための取り付け部としても機能する。具体的には、接続ピン１８０が照明器具のソケットに接続されることによって、ＬＥＤユニット１００が照明器具に保持される。
【００６６】
接続ピン１８０は、筐体１２０の光照射側の面と反対側の面から外部に突出するように構成されている。接続ピン１８０は、例えば、筐体１２０に設けられた貫通孔に圧入されて固定されている。
【００６７】
なお、接続ピン１８０は、電源供給用として２本設けられているが、電源供給用の接続ピンに加えて、調光信号等の電気信号を受けるための信号用の電気接続ピン、あるいは、その他の機能を有する接続ピンを備えていてもよい。
【００６８】
なお、機能付加装置２００は、上述の図１Ｂに示されるように、第二接続部２１０と、樹脂製の筐体２２０と、センサ部２５０と、ケーブル２５５とを備える。機能付加装置２００の詳細については、図３を用いて後述する。
【００６９】
次に、実施の形態１に係るＬＥＤユニット１００及び機能付加装置２００の機能構成等について、図３及び図４を用いて説明する。図３は、実施の形態１に係るＬＥＤユニット１００及び機能付加装置２００の機能ブロック図である。図４は、実施の形態１に係るＬＥＤユニット１００を備える照明装置の断面図である。
【００７０】
まず、ＬＥＤユニット１００について説明する。
【００７１】
図３に示されるように、ＬＥＤユニット１００は、発光部１４２と、電源変換部１９１と、第一接続部１９０と、制御部１９２とを備える。制御部１９２は、電源部１９３と、電力供給部１９４とを有する。
【００７２】
発光部１４２は、制御部１９２の電力供給部１９４からの供給される直流電力により発光する発光部である。
【００７３】
電源変換部１９１は、照明器具３００から供給される交流電力を直流電力に変換して制御部１９２に出力する。ここで、ＬＥＤユニット１００は、図４に示されるように部屋の天井に設けられた照明器具３００（反射板３１０及びソケット３２０）に取り付けられる。電源変換部１９１は、接続ピン１８０が照明器具３００の接続孔３２１（第四接続部）に挿入されることによって、接続ピン１８０を介して照明器具３００から電力の供給を受ける。
【００７４】
電源変換部１９１は、具体的には、例えば、上述の駆動回路に含まれる、４つのダイオードで構成されるブリッジ型全波整流回路であるが、ＡＣ−ＤＣコンバータＩＣなど、どのような態様であってもよい。
【００７５】
電源部１９３は、電源変換部１９１から受けた直流電力を用いて制御部１９２を動作させる。電源部１９３は、具体的には、例えば、上述の駆動回路に含まれる電源回路であるが、ＤＣ−ＤＣコンバータＩＣなど、どのような態様であってもよい。
【００７６】
電力供給部１９４は、発光部１４２に電力を供給する。電力供給部１９４は、例えば、上記駆動回路に含まれる、インバータ回路とこれに接続される整流回路である。しかしながら、電力供給部１９４は、例えば、制御信号に応じてスイッチング制御状態を変更し、発光部１４２への電力を調整するチョッパ制御回路など、どのような態様であってもよい。チョッパ制御回路とは、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。制御部１９２が、発光部１４２の点灯及び消灯のみを制御するような場合は、制御信号に応じて発光部１４２への電力の供給の有無を切り替えるスイッチであってもよい。
【００７７】
制御部１９２は、第一接続部１９０に接続された機能付加装置２００から受信した制御信号に応じて発光部１４２の発光を制御する。制御部１９２は、例えば、制御信号に応じて、発光部１４２の点灯及び消灯を制御する。制御部１９２は、具体的には、上述の駆動回路に含まれる、制御信号に応じて動作する回路であるが、プロセッサ等の集積回路の一機能として実現されてもよく、どのような態様であってもよい。
【００７８】
実施の形態１では、制御部１９２の電力供給部１９４は、制御信号に応じて発光部１４２に供給する電力の量を制御することにより発光部１４２の発光を制御する。実施の形態１では、具体的には、制御部１９２の電力供給部１９４は、制御信号に基づいて発光部１４２の点灯及び消灯を制御する。
【００７９】
なお、図３において破線で示されるように、電力供給部１９４ではなく、電源部１９３が制御信号に応じて電源変換部１９１から受電する電力量、若しくは電力供給部１９４へ給電する電力量を制御することにより発光部１４２の発光を制御してもよい。具体的には、電力供給部１９４が、電源部１９３が給電する参照電圧に応じて発光部１４２への出力を変動させるＩＣなどである場合、電源部１９３の入出力を調整することで発光部１４２の発光を制御することができる。電源部１９３が、発光部１４２の点灯及び消灯のみを制御するような場合は、電源部１９３は、制御信号に応じて受電する電力の有無を切り替えるスイッチであってもよい。
【００８０】
第一接続部１９０は、機能付加装置２００のセンサ部２５０から制御信号を受信するために機能付加装置２００の第二接続部２１０が着脱自在に接続されるコネクタである。すなわち、第一接続部１９０は、機能付加装置２００のセンサ部２５０から制御信号を受信するための端子を有する。また、第一接続部１９０は、電源変換部１９１が出力する直流電力を機能付加装置２００に供給するための第一の端子を有する。第一の端子を介して供給される電力によって、機能付加装置２００は動作する。
【００８１】
次に、機能付加装置２００について説明する。
【００８２】
図３に示されるように、機能付加装置２００は、第二接続部２１０と、センサ部２５０とを備える。
【００８３】
第二接続部２１０は、第一接続部１９０の形状に対応する形状のコネクタであり、第一接続部１９０に接続される。機能付加装置２００（センサ部２５０）は、第一接続部１９０が有する第一の端子を介して供給される電力によって動作する。なお、機能付加装置２００は、バッテリーを内蔵することにより、ＬＥＤユニット１００から電力供給を受けずに動作する構成であってもよい。
【００８４】
センサ部２５０は、赤外線を検出する、いわゆる人感センサモジュールである。なお、センサ部２５０は、赤外線を検出する構成に限定されない。例えば、センサ部２５０は、センサ部２５０の周辺の照度、音、温度などを検出してもよい。この場合、センサ部２５０には、既存の照度センサ、音センサ、温度センサなどが適用できる。また、センサ部２５０の振動、ユーザのモーション（ユーザのジェスチャ）などを検出してもよい。例えば、ＬＥＤユニット１００が移動体（車など）に設けられるような場合、センサ部２５０は、移動体の移動によるセンサ部２５０の振動を検出する。つまり、機能付加装置２００は、検出対象を検出するセンサ装置であってもよい。
【００８５】
なお、モーションの検出は、例えば、センサ部２５０に反射型のセンサ（モーションセンサ）を適用することによって実現可能である。センサ部２５０が反射型のセンサである場合、センサ部２５０は、ユーザに対して光を投射し、その反射光によりユーザまでの距離を測定する。つまり、センサ部２５０は、ユーザが決められた距離内にいるかを検出することができる。ユーザが上記決められた距離内（検出範囲）に手を出し入れするなどすれば、センサ部２５０は、これをモーションとして検出することができる。
【００８６】
なお、図４に示されるように、第二接続部２１０とセンサ部２５０とは、ケーブル２５５によって電気的に接続されている。すなわち、機能付加装置２００は、第一接続部１９０にケーブル２５５を介して接続される。
【００８７】
実施の形態１では、センサ部２５０は、赤外線の検出結果に応じた制御信号をＬＥＤユニット１００に出力する。これにより、ＬＥＤユニット１００は、センサ部２５０が赤外線を検出後、一定期間点灯し、その後消灯する。すなわち、ＬＥＤユニット１００は、いわゆる人感センサ付の照明用光源として動作する。
【００８８】
続いて、図４を用いて、機能付加装置２００が取り付けられる位置について詳細に説明する。
【００８９】
図４に示されるように、照明装置４００は、ＬＥＤユニット１００と、機能付加装置２００と、照明器具３００とを備える。
【００９０】
照明器具３００は、構造物５００にはめこまれている。構造物５００は、典型的には、部屋の天井である。構造物５００の面のうち、照明器具３００の近傍には、保持部３３０が設けられている。
【００９１】
ここで、保持部３３０は、構造物５００の面のうち、発光部１４２（ＬＥＤユニット１００）から照射される光の照射領域４５０以外の領域に属する部分に設けられている。保持部３３０は、図４に示されるように、機能付加装置２００を照射領域４５０以外の領域に保持する。
【００９２】
なお、保持部３３０は、機能付加装置２００を照射領域４５０以外の領域で保持できれば、構造物５００内のどこに設けられていてもよい。また、保持部３３０の材質は、樹脂であるが、金属等のその他の材料であってもよい。
【００９３】
機能付加装置２００の取り付け部２４０は、上述のように爪状であり、取り付け部２４０に対応する形状の保持部３３０と係合する。これによって、機能付加装置２００は、照明器具３００が設けられる構造物５００の、照射領域４５０以外の領域に属する部分に取り付けられる。取り付け部２４０の材質は、樹脂であるが、金属等のその他の材料であってもよい。
【００９４】
なお、照射領域４５０とは、図４に図示されているように、ＬＥＤユニット１００から照射される光が直接届く範囲をいう。実施の形態１では、図４に示されるような、略円錐台形の領域である。反射板３１０等で反射、回折されるなどして間接的に光が照射される領域は、照射領域４５０には含まれない。
【００９５】
なお、照射領域の形状等は、ＬＥＤユニット１００の構成等によって変わるため、図４に示されるような略円錐台形に限定されない。
【００９６】
このように、機能付加装置２００を照射領域４５０以外の領域に取り付けることで、ＬＥＤユニット１００からの光が機能付加装置２００に直接照射されないため、当該光及びこれに起因する熱による、機能付加装置２００の寿命の短縮を抑制できる。また、機能付加装置２００が照度や、赤外線を検出するような場合は、機能付加装置２００を照射領域４５０以外の領域に取り付けることで、当該光及びこれに起因する熱による、機能付加装置２００（センサ部２５０）の誤検出を抑制することができる。
【００９７】
また、ＬＥＤユニット１００と、機能付加装置２００とを離して設置することは、機能付加装置２００が、ＬＥＤユニット１００に起因するノイズの影響を受けにくい効果もある。すなわち、上記のように機能付加装置２００を照射領域４５０以外の領域に取り付けることで、ＬＥＤユニット１００は、機能付加装置２００によって付加される機能を安定的に使用することができる。
【００９８】
なお、機能付加装置２００は、照明器具３００に設けられた保持部３３０によって、照射領域４５０以外の領域に保持されてもよい。
【００９９】
図５は、照明器具３００に設けられた保持部３３０によって機能付加装置２００が保持される照明装置４００の断面図である。
【０１００】
図５では、照明器具３００の反射板３１０のうち、構造物５００の面（天井）に沿う部分に保持部３３０が設けられている。言い換えれば、照明器具３００のＬＥＤユニット１００がはめ込まれる開口の開口端の淵には、保持部３３０が設けられている。保持部３３０は、機能付加装置２００を照射領域４５０以外の領域に保持する。なお、保持部３３０は、機能付加装置２００を照射領域４５０以外の領域で保持できれば、照明器具３００内のどこに設けられていてもよい。
【０１０１】
機能付加装置２００の取り付け部２４０は、保持部３３０と係合し、これによって、機能付加装置２００は、照明器具３００の、照射領域４５０以外の領域に属する部分に取り付けられる。
【０１０２】
このような構成によっても、ＬＥＤユニット１００からの光及びこれに起因する熱による、機能付加装置２００の寿命の短縮を抑制し、機能付加装置２００（センサ部２５０）の誤検出を抑制することができる。
【０１０３】
なお、実施の形態１のように、ＬＥＤユニット１００と機能付加装置２００とがケーブル２５５によって接続される場合、ケーブル２５５がＬＥＤユニットからの光を遮ってしまう場合がある。
【０１０４】
そこで、図５に示される照明器具３００は、照明器具３００の照射領域４５０以外の領域に属する部分に、ケーブル２５５を保持するケーブル保持部３４０を備える。ケーブル保持部３４０は、フック状であるが、ケーブル２５５を保持できればどのような形状であってもよい。また、ケーブル保持部３４０は、ケーブル２５５が照射領域４５０以外の領域で保持できれば、照明器具３００内のどこに設けられていてもよい。
【０１０５】
このような、ケーブル保持部３４０によって、ケーブル２５５が照射領域４５０以外の領域で保持されるため、ケーブル２５５がＬＥＤユニット１００からの光を遮ることを防止することができる。
【０１０６】
なお、図５では、保持部３３０は、照明器具３００のＬＥＤユニット１００がはめ込まれる開口の開口端の淵に設けられたが、照明器具３００の開口の底面（照明器具３００の設置面と対向する面を含む平面、熱伝導シート１７０が装着される面を含む平面）に設けられてもよい。
【０１０７】
図６は、照明器具の開口の底面に設けられた保持部３３０によって機能付加装置２００が保持される照明装置の断面図である。
【０１０８】
図６に示される照明装置４００のように、照明器具３００ａのＬＥＤユニット１００が設けられる開口の径が、ＬＥＤユニット１００の径よりも大きい場合は、照明器具３００ａの開口の底面に保持部３３０が設けられてもよい。すなわち、保持部３３０は、照明器具３００の内側の面（ソケット３２０が設けられる面及び反射板３１０の光を反射する面）の照射領域４５０以外の領域に設けられてもよい。
【０１０９】
以上、説明したように、照明装置４００では、ＬＥＤユニット１００からの光及びこれに起因する熱による、機能付加装置２００の寿命の短縮を抑制し、機能付加装置２００（センサ部２５０）の誤検出を抑制することができる。
【０１１０】
なお、上記実施の形態１では、保持部３３０と、取り付け部２４０とは、対になる専用の接続ユニットであるが、このような態様に限定されるものではない。
【０１１１】
図７は、保持部及び取り付け部の別の例を示す図である。
【０１１２】
図７の（ａ）に示される取り付け部２４０ａは、ネジ穴である。この場合、取り付け部２４０ａに対応する保持部３３０もネジ穴であり、機能付加装置２００ａは、取り付け部２４０ａが保持部３３０にネジ止めされることによって、照射領域４５０以外の領域に属する部分に取り付けられる。
【０１１３】
図７の（ｂ）に示される取り付け部２４０ｂは、マグネットである。この場合、取り付け部２４０ｂに対応する保持部３３０は、金属プレートであり、機能付加装置２００ｂは、取り付け部２４０ｂが保持部３３０に磁力によって付着することで、照射領域４５０以外の領域に属する部分に取り付けられる。
【０１１４】
図７の（ｃ）に示される取り付け部２４０ｃは、吸盤である。この場合、取り付け部２４０ｃに対応する保持部３３０は、吸盤が吸着しやすいプレート等であり、機能付加装置２００ｃは、取り付け部２４０ｂが保持部３３０に吸着することで、照射領域４５０以外の領域に属する部分に取り付けられる。
【０１１５】
また、図７の（ｄ）に示されるように取り付け部２４０ｄは、フック状であり、保持部３３０に取り付け部２４０ｄが引っ掛けられることで、機能付加装置２００ｄは、照射領域４５０以外の領域に属する部分に取り付けられてもよい。また、取り付け部は、筐体２２０に設けられた凸部であってもよい。つまり、照明器具３００又は構造物５００に設けられた凹部に上記凸部が嵌合、係合、又は噛合等することによって、機能付加装置２００は、照射領域４５０以外の領域に属する部分に取り付けられてもよい。
【０１１６】
また、取り付け部は、粘着性のシート等であってもよく、機能付加装置２００は、粘着性のシートによって照明器具３００又は構造物５００に貼り付けられてもよい。
【０１１７】
また、取り付け部は、照明器具３００と構造物５００との間に挿入され、照明器具３００又は構造物５００に設けられた保持部によって保持されてもよい。
【０１１８】
図８は、照明器具３００と構造物５００との間に挿入される取り付け部を備える機能付加装置の例を示す図である。図９は、図８に示される機能付加装置２００ｅと、照明装置４００との接続例を示す図である。なお、図８及び図９は、機能付加装置２００ｅ及び照明器具３００を側面から見た模式図である。
【０１１９】
図８に示される機能付加装置２００ｅは、照明器具３００の外側の面に設けられた凹部である保持部３３０ｅにはめ込まれる、保持部３３０ｅに対応した形状の取り付け部２４０ｅを備える。照明器具３００の外側とは、照明器具３００のうちＬＥＤユニット１００が取り付けられる側を内側とした場合の外側である。上記外側の面は、言い換えれば、図９に示されるように構造物５００の照明器具３００がはめ込まれる開口（凹部）の内周面に対向する面である。
【０１２０】
図９に示されるように、取り付け部２４０ｅは、照明器具３００と構造物５００との間に挿入され、照明器具３００に設けられた保持部３３０ｅによって保持される。なお、取り付け部２４０ｅは、構造物５００の照明器具３００がはめ込まれる開口の内周面に設けられた保持部によって保持されてもよいし、上記構造物５００の内周面と、照明器具３００の外側の面とによって挟持されてもよい。
【０１２１】
このような構成によれば、機能付加装置２００ｅは、照射領域４５０以外の領域であって、照射領域４５０の近傍に自ずと配置される。つまり、このような構成によれば、機能付加装置２００ｅを照射領域４５０以外の領域であって、照射領域４５０の近傍に容易に取り付けることができる。
【０１２２】
また、図８に示される保持部３３０ｅには、開口３３５が設けられており、取り付け部２４０ｅに設けられた第二接続部２１０は、開口３３５を通じてＬＥＤユニット１００の第一接続部１９０に接続される。
【０１２３】
これにより、ケーブル２５５を用いることなく、機能付加装置２００ｅとＬＥＤユニット１００とを簡単に接続するとともに、機能付加装置２００ｅを照射領域４５０以外の領域であって、照射領域４５０の近傍に容易に取り付けることができる。また、ケーブル２５５がＬＥＤユニット１００からの光を遮ることを防止することができる。
【０１２４】
なお、図８及び図９に示されるように、ＬＥＤユニット１００と機能付加装置とは必ずしもケーブル２５５で接続される必要はない。例えば、ＬＥＤユニット１００と機能付加装置とは無線モジュール等を用いて無線接続されてもよい。
【０１２５】
なお、実施の形態１では、機能付加装置２００のセンサ部２５０（機能付加部）は、赤外線センサとして説明されたが、このような構成に限定されない。例えば、上述のように、センサ部２５０は、照度センサ、音センサ、振動センサ、モーションセンサ、温度センサなどであってもよい。
【０１２６】
また、センサ部２５０は、リモコンの受光部であってもよい。この場合、ユーザは、ＬＥＤユニット１００及び機能付加装置２００によって照明装置４００のリモコン操作が可能となる。
【０１２７】
また、機能付加装置２００は、機能付加部としてタイマ部を備えてもよい。この場合、タイマ部は、ユーザが設定した時間（時刻）に応じて制御信号を送信する。言い換えれば、タイマ部は、時間を検出する。
【０１２８】
また、機能付加装置２００は、機能付加部として無線モジュールを備えてもよい。この場合、ＬＥＤユニット１００及び機能付加装置２００によって、ユーザは、照明装置４００を無線により制御することができる。
【０１２９】
また、機能付加装置２００は、上記のセンサ部、タイマ部、無線モジュール等のうちの複数の機能付加部を備えてもよい。また、機能付加装置２００は、上述のような機能付加部に加えて、補助的な機能付加部である第二の機能付加部を備えてもよい。例えば、機能付加装置２００は、第二の機能付加部として、揮発性の物質を散布する芳香散布部（例えば、スプレー式の芳香散布部）を備えてもよい。
【０１３０】
この場合、制御部１９２は、例えば、赤外線センサによる検知後、発光部１４２を所定時間点灯し、さらに発光部１４２を消灯するとともに、一定時間、芳香散布を行うなどの制御が可能となる。
【０１３１】
また、実施の形態１では、制御部１９２は、発光部１４２の点灯及び消灯（発光部１４２の点滅）を制御したが、制御部１９２の制御内容は、発光部１４２の点灯及び消灯に限定されない。制御部１９２は、例えば、発光部１４２の調光を制御してもよい。
【０１３２】
制御部１９２は、制御信号に応じて、発光部１４２に含まれるＬＥＤの発光個数を制御することにより、発光部１４２の調光を制御することができる。また、制御部１９２の電力供給部１９４がＰＷＭ回路であれば、制御部１９２の電力供給部１９４は、制御信号に応じて発光部１４２に供給される電圧のパルス幅変調を行い、発光部１４２の調光を制御することができる。
【０１３３】
また、制御部１９２は、発光部１４２の調色を制御してもよい。例えば、発光部１４２が、発光部１４２に含まれるＬＥＤを覆うように設けられる、調色２色性色素を有するネマティック液晶を有する構成であれば、制御部１９２は、制御信号に応じて、当該ネマティック液晶の光の透過率を電圧印加によって制御すればよい。これにより、制御部１９２は、発光部１４２の調色を制御することができる。また、発光部１４２が色温度の異なる複数のＬＥＤを有し、制御部１９２が点灯させるＬＥＤの組み合わせと、点灯させるＬＥＤの個数とを制御することにより、発光部１４２の調色を制御してもよい。
【０１３４】
また、制御部１９２は、発光部１４２の配光を制御してもよい。例えば、発光部１４２に含まれる複数ＬＥＤの配光角を変更するための駆動機構（駆動部）を設け、制御部１９２は、制御信号に応じて駆動部を制御することにより、発光部１４２の配光を制御してもよい。
【０１３５】
また、発光部１４２に含まれるＬＥＤの配光角を変更するための光学部材と、その位置又は角度を変更する駆動機構（駆動部）とを設け、制御部１９２が制御信号に応じて光学部材の駆動部を制御することにより、発光部１４２の配光を制御してもよい。また、発光部１４２が取り付け角度（発光面の角度）の異なる複数のＬＥＤを有し、制御部１９２が、制御信号に応じて、点灯させるＬＥＤの組み合わせと、点灯させるＬＥＤの個数とを制御することによって、発光部１４２の配光を制御してもよい。
【０１３６】
（実施の形態２）
実施の形態１では、ＬＥＤユニット１００と、機能付加装置とは別体として説明されたが、ＬＥＤユニット１００は、機能付加装置と一体であってもよい。すなわち、ＬＥＤユニット１００は、機能付加装置を備えてもよい。
【０１３７】
図１０は、機能付加装置一体型のＬＥＤユニットを備える照明装置４００の断面図である。
【０１３８】
図１０に示されるＬＥＤユニット１００ａは、機能付加装置２００を備える。具体的には、機能付加装置２００は、ケーブル２５５によって回路基板１６０に電気的に接続され、ケーブル２５５がＬＥＤユニット１００ａの本体部から引き出されることによって、機能付加装置２００の取り付け位置は変更可能である。なお、ＬＥＤユニット１００ａは、さらに、ケーブル２５５を巻き取るためのリールを備えてもよい。
【０１３９】
このような構成であっても、図４で説明したＬＥＤユニット１００と同様に、ＬＥＤユニット１００ａからの光が機能付加装置２００に直接照射されないため、当該光及びこれに起因する熱による、機能付加装置２００の寿命の短縮を抑制できる。
【０１４０】
なお、図１０の断面図における、照射領域４５０は、ＬＥＤユニット１００ａの発光面のうち光が取り出される部分の輪郭の端と、照明器具３００の内周面の高さ方向の下端とを結んだ直線で規定される。
【０１４１】
また、ケーブル２５５は、所定の剛性を有することによって変形した状態が維持される材料で形成されてもよい。
【０１４２】
図１１は、所定の剛性のケーブルを有するＬＥＤユニット１００ａを備える照明装置４００の断面図である。
【０１４３】
図１１に示されるケーブル２５５ａは、例えばケーブル２５５ａ内に針金等が設けられることによって所定の剛性を有し、変形した状態が維持される。また、ケーブル２５５ａは、ケーブル２５５と同様に、機能付加装置２００と、回路基板１６０とを電気的に接続する。
【０１４４】
これにより、図１１に示されるように、ケーブル２５５ａの照射領域４５０内に位置する部分を最小限に抑えるように、ケーブル２５５ａの形状を変形させることができる。すなわち、ケーブル２５５ａがＬＥＤユニット１００ａからの光を遮ることを防止することができる。
【０１４５】
（その他）
以上、本実施の形態に係るＬＥＤユニット、及び機能付加装置について、実施の形態に基づいて説明したが、本発明は、これらの実施の形態に限定されるものではない。
【０１４６】
例えば、上記の実施の形態において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子を用いてもよい。
【０１４７】
例えば、発光部として、凹部（キャビティ）を有する樹脂製の容器と、凹部の中に実装されたＬＥＤチップと、凹部内に封入された封止部材（蛍光体含有樹脂）とからなるパッケージ型のＬＥＤ素子（ＳＭＤ型ＬＥＤ素子）を用いてもよい。すなわち、ＬＥＤモジュールは、このようなＬＥＤ素子が、金属配線が形成された基板上に複数個実装されることで構成されたＳＭＤ型のＬＥＤモジュールであってもよい。
【０１４８】
また、上記の実施の形態では、本発明をＬＥＤユニット及びこれを備える照明装置として実現したが、本発明は、他の照明用光源や、照明装置としても実現可能である。例えば、上記の実施の形態では、本発明をフラット薄形構造のＬＥＤユニットに適用する例について説明したが、本発明は、照明用光源である、電球形のＬＥＤランプ、直管形のＬＥＤランプ又は環状のＬＥＤランプとしても実現可能である。
【０１４９】
以上、一つ又は複数の態様に係るＬＥＤユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【０１５０】
１００、１００ａ  ＬＥＤユニット（照明用光源）
１１０  透光性カバー（カバー）
１２０、２２０  筐体
１２０ａ  第１開口部
１２０ｂ  第２開口部
１３０  支持台
１４０  ＬＥＤモジュール
１４１  基板
１４２  発光部（発光素子）
１５０、３１０  反射板
１６０  回路基板
１７０  熱伝導シート
１８０  接続ピン（第三接続部）
１９０  第一接続部
１９１  電源変換部
１９２  制御部
１９３  電源部
１９４  電力供給部
２００、２００ａ〜２００ｅ  機能付加装置（外部装置）
２１０  第二接続部
２４０、２４０ａ〜２４０ｅ  取り付け部
２５０  センサ部（機能付加部）
２５５、２５５ａ  ケーブル
３００、３００ａ  照明器具
３２０  ソケット
３２１  接続孔（第四接続部）
３３０、３３０ｅ  保持部
３３５  開口
３４０  ケーブル保持部
４００  照明装置
４５０  照射領域
５００  構造物
【図１Ａ】
2014220161.tif 000003
【図１Ｂ】
2014220161.tif 000004
【図２】
2014220161.tif 000005
【図３】
2014220161.tif 000006
【図４】
2014220161.tif 000007
【図５】
2014220161.tif 000008
【図６】
2014220161.tif 000009
【図７】
2014220161.tif 000010
【図８】
2014220161.tif 000011
【図９】
2014220161.tif 000012
【図１０】
2014220161.tif 000013
【図１１】
2014220161.tif 000014